(57)【要約】【課題】患者の緊張を和らげる音楽を、煩雑な操作を要さずに、再生できるようにした超音波診断装置を提供する。【解決手段】患者に音楽を聞かせるための制御を行う音楽制御部８と、ＣＤから音楽情報を取り込むためのＣＤドライブ９と、インターネット上から音楽情報を取り込むための通信回線インタフェース１０と、患者情報（患者の識別子，年齢，性別，音楽的好み等）を蓄積する患者データベース１１と、音楽情報（曲の識別子，曲データ等）を蓄積する音楽データベース１２と、音楽を出力する患者用音楽出力部１３とを具備する。【効果】超音波診断装置自体が音楽再生機能を有しているため、ＣＤプレーヤ等の別体の音楽再生装置が必要なくなり、操作者は、超音波診断装置のみを操作すれば足るため、煩雑な操作を要さずに音楽を再生できる。【選択図】  図１
2004154334.tif 000002
【特許請求の範囲】
【請求項１】
超音波探触子と、前記超音波探触子を駆動して超音波パルスを被検体内へ送信すると共に被検体内から超音波エコーを受信して受信データを出力する送受信手段と、得られた受信データから超音波画像を生成する超音波画像生成手段と、生成した超音波画像を表示する超音波画像表示手段と、音楽情報を記憶する音楽情報記憶手段と、前記音楽情報記憶手段から音楽情報を読み出して音楽を再生する音楽再生手段を具備することを特徴とする音楽再生機能付き超音波診断装置。
【請求項２】
請求項１に記載の音楽再生機能付き超音波診断装置において、ＣＤドライブ等の音楽媒体再生装置を介して音楽情報を取り込み前記音楽情報記憶手段に記憶させる音楽情報取込み手段を具備したことを特徴とする音楽再生機能付き超音波診断装置。
【請求項３】
請求項１または請求項２に記載の音楽再生機能付き超音波診断装置において、通信回線を介して音楽情報を取り込み前記音楽情報記憶手段に記憶させる音楽情報取込み手段を具備したことを特徴とする音楽再生機能付き超音波診断装置。
【請求項４】
請求項１から請求項３のいずれかに記載の音楽再生機能付き超音波診断装置において、診断モードに応じて再生音量を自動的に調整する音量自動調整手段を具備したことを特徴とする音楽再生機能付き超音波診断装置。
【請求項５】
請求項４に記載の音楽再生機能付き超音波診断装置において、診断モードと再生音量の対応付けを行う音楽情報管理手段を具備したことを特徴とする音楽再生機能付き超音波診断装置。
【請求項６】
請求項１から請求項５のいずれかに記載の音楽再生機能付き超音波診断装置において、患者情報に応じて音楽情報の選択を行う音楽情報選択手段を具備したことを特徴とする音楽再生機能付き超音波診断装置。
【請求項７】
請求項６に記載の音楽再生機能付き超音波診断装置において、前記患者情報は、患者の年齢，性別および音楽的好みのいずれかを含むことを特徴とする音楽再生機能付き超音波診断装置。
【請求項８】
請求項６または請求項７に記載の音楽再生機能付き超音波診断装置において、患者情報と音楽情報の対応付けを行う音楽情報管理手段を具備したことを特徴とする音楽再生機能付き超音波診断装置。
【請求項９】
請求項１から請求項８のいずれかに記載の音楽再生機能付き超音波診断装置において、ドップラ音を出力する検査用スピーカとは別個に音楽を出力する患者用スピーカを具備したことを特徴とする音楽再生機能付き超音波診断装置。
【発明の詳細な説明】
【０００１】
【発明の属する技術分野】
本発明は、音楽再生機能付き超音波診断装置に関し、さらに詳しくは、煩雑な操作を要さずに、患者の緊張を和らげる音楽を再生できるようにした音楽再生機能付き超音波診断装置に関する。
【０００２】
【従来の技術】
従来、診断中の患者の緊張を和らげるために、ＣＤ（Ｃｏｍｐａｃｔ  Ｄｉｓｃ）プレーヤ等の音楽媒体再生装置で音楽を再生して患者に聞かせることが行われている。
【０００３】
他方、特開平８−６１９号公報には、ドップラ（ｄｏｐｐｌｅｒ）音を出力する手段を備えた超音波診断装置が開示されている。
【０００４】
【発明が解決しようとする課題】
従来、超音波診断を行う操作者は、超音波診断装置およびＣＤプレーヤ等の両方を操作する必要があった。
しかし、超音波診断装置を操作して診断中に、ＣＤプレーヤ等をも操作するのは、煩わしい問題点があった。また、ドップラ検査のようにドップラ音を聞いて診断する時には、音楽が邪魔になるため、ＣＤプレーヤ等で再生音量を下げる操作をする必要があり、煩わしい問題点があった。また、ＣＤプレーヤ等で患者の年齢，性別，音楽的好みに合わせた音楽を選択する操作をする必要があり、煩わしい問題点があった。
そこで、本発明の目的は、煩雑な操作を要さずに、患者の緊張を和らげる音楽を再生できるようにした音楽再生機能付き超音波診断装置を提供することにある。
【０００５】
【課題を解決するための手段】
第１の観点では、本発明は、超音波探触子と、前記超音波探触子を駆動して超音波パルスを被検体内へ送信すると共に被検体内から超音波エコーを受信して受信データを出力する送受信手段と、得られた受信データから超音波画像を生成する超音波画像生成手段と、生成した超音波画像を表示する超音波画像表示手段と、音楽情報を記憶する音楽情報記憶手段と、前記音楽情報記憶手段から音楽情報を読み出して音楽を再生する音楽再生手段を具備することを特徴とする音楽再生機能付き超音波診断装置を提供する。
上記第１の観点による音楽再生機能付き超音波診断装置では、超音波診断装置自体が音楽再生機能を有しているため、ＣＤプレーヤ等の別体の音楽再生装置が必要なくなる。つまり、操作者は、超音波診断装置のみを操作すれば足るため、煩雑な操作を要さずに音楽を再生でき、患者の緊張を和らげることが出来る。
【０００６】
第２の観点では、本発明は、上記構成の音楽再生機能付き超音波診断装置において、ＣＤドライブ等の音楽媒体再生装置を介して音楽情報を取り込み前記音楽情報記憶手段に記憶させる音楽情報取込み手段を具備したことを特徴とする音楽再生機能付き超音波診断装置を提供する。
上記第２の観点による音楽再生機能付き超音波診断装置では、ＣＤドライブ等の音楽媒体再生装置から音楽情報を取り込んで蓄積することが出来る。
【０００７】
第３の観点では、本発明は、上記構成の音楽再生機能付き超音波診断装置において、通信回線を介して音楽情報を取り込み前記音楽情報記憶手段に記憶させる音楽情報取込み手段を具備したことを特徴とする音楽再生機能付き超音波診断装置を提供する。
上記第３の観点による音楽再生機能付き超音波診断装置では、インターネット上にある音楽情報を取り込んで蓄積することが出来る。
【０００８】
第４の観点では、本発明は、上記構成の音楽再生機能付き超音波診断装置において、診断モードに応じて再生音量を自動的に調整する音量自動調整手段を具備したことを特徴とする音楽再生機能付き超音波診断装置を提供する。
上記第４の観点による音楽再生機能付き超音波診断装置では、Ｂモードのように画像だけで診断する診断モードの時は通常の音量で再生し、ドップラ検査のように音を聞いて診断する診断モードの時は音量を小さくするか又はミュートにする、といったように自動で切り替えるため、操作者の負担が軽減される。
【０００９】
第５の観点では、本発明は、上記構成の音楽再生機能付き超音波診断装置において、診断モードと再生音量の対応付けを行う音楽情報管理手段を具備したことを特徴とする音楽再生機能付き超音波診断装置を提供する。
上記第５の観点による音楽再生機能付き超音波診断装置では、診断モードと再生音量の対応をカストマイズできるため、使い勝手が良くなる。
【００１０】
第６の観点では、本発明は、上記構成の音楽再生機能付き超音波診断装置において、患者情報に応じて音楽情報の選択を行う音楽情報選択手段を具備したことを特徴とする音楽再生機能付き超音波診断装置を提供する。
上記第６の観点による音楽再生機能付き超音波診断装置では、患者が子供の時は童謡を選択し、患者が大人のときはクラシック音楽を選択する、といったように自動で切り替えるため、操作者の負担が軽減される。
【００１１】
第７の観点では、本発明は、上記構成の音楽再生機能付き超音波診断装置において、前記患者情報は、患者の年齢，性別および音楽的好みのいずれかを含むことを特徴とする音楽再生機能付き超音波診断装置を提供する。
上記第７の観点による音楽再生機能付き超音波診断装置では、子供，青年，熟年，老年といった区別を基に音楽情報を選択したり、女性，男性の区別を基に音楽情報を選択したり、患者個人の音楽的好みを基に音楽情報を選択することが出来る。
【００１２】
第８の観点では、本発明は、上記構成の音楽再生機能付き超音波診断装置において、患者情報と音楽情報の対応付けを行う音楽情報管理手段を具備したことを特徴とする音楽再生機能付き超音波診断装置を提供する。
上記第８の観点による音楽再生機能付き超音波診断装置では、患者情報と音楽情報の対応をカストマイズできるため、使い勝手が良くなる。
【００１３】
第９の観点では、本発明は、上記構成の音楽再生機能付き超音波診断装置において、ドップラ音を出力する検査用スピーカとは別個に音楽を出力する患者用スピーカを具備したことを特徴とする音楽再生機能付き超音波診断装置を提供する。
ドップラ音を出力する検査用スピーカから音楽も出力するようにすれば、資源を有効利用できる利点があるが、超音波診断装置に対する操作者と患者の位置が異なるため、検査用スピーカを向ける方向が中途半端になってしまう。
そこで、上記第９の観点による音楽再生機能付き超音波診断装置では、検査用スピーカと患者用スピーカとを別個にした。これにより、検査用スピーカは操作者の方向に向け、患者用スピーカは患者の方向に向けて配置することが出来る。
【００１４】
【発明の実施の形態】
以下、図に示す実施形態により本発明をさらに詳細に説明する。なお、これにより本発明が限定されるものではない。
【００１５】
図１は、本発明にかかる超音波診断装置を示す構成図である。
この超音波診断装置１００は、超音波探触子１と、超音波探触子１を駆動して超音波パルスを患者の体内へ送信すると共に超音波エコーを受信し受信信号を出力する送受信部２と、受信信号から超音波画像を生成したりドップラ音を生成する信号処理部３と、超音波画像を表示する画像表示部４と、ドップラ音を出力する検査用音響出力部５と、操作者が指示を入力する操作部６と、送受信部２や信号処理部３の動作を制御するスキャン制御部７とを具備している。
【００１６】
さらに、超音波診断装置１００は、患者に音楽を聞かせるための制御を行う音楽制御部８と、ＣＤから音楽情報を取り込むためのＣＤドライブ９と、インターネット上から音楽情報を取り込むための通信回線インタフェース１０と、患者情報（患者の識別子，年齢，性別，音楽的好み等）を蓄積する患者データベース１１と、音楽情報（曲の識別子，曲データ等）を蓄積する音楽データベース１２と、音楽を出力する患者用音楽出力部１３とを具備している。
【００１７】
音楽制御部８は、ＣＤドライブ９や通信回線インタフェース１０を介して音楽情報を取り込む音楽情報取込部８ａと、操作者の指示に基づいて診断モードと音楽情報の対応および患者情報と音楽情報の対応の作成，変更，削除を行うための音楽情報管理部８ｂと、現在の患者情報に対応する音楽情報を選択する音楽情報選択部８ｃと、現在の診断モードに対応して再生音量を調整する音量自動調整部８ｄとを含んでいる。
【００１８】
図２は、超音波診断装置１００の外観を示す斜視図である。
ドップラ音を出力する検査用スピーカ５ａは超音波診断装置１００の正面に設置されており、音楽を出力する患者用スピーカ１３ａは超音波診断装置１００の側面に設置されている。つまり、検査用スピーカ５ａは操作者の方を向き、患者用スピーカ１３ａは患者の方を向いている。
ＣＤドライブ９は、超音波診断装置１００の正面に設置されている。
通信回線１０ａは、超音波診断装置１００の背面から入って通信回線インタフェース１０に接続されている。
【００１９】
図３は、超音波診断装置１００による音楽制御処理を示すフロー図である。
ステップＳ１では、音楽制御部８は、ＣＤドライブ９から音楽情報を取り込む旨の操作者の指示があったか否かを判定し、あったならばステップＳ２へ進み、なかったならばステップＳ３へ進む。
ステップＳ２では、音楽情報取込部８ａは、ＣＤドライブ９にセットされたＣＤから音楽情報を読み出し、音楽データベース１２に記憶する。そして、ステップＳ１に戻る。
【００２０】
ステップＳ３では、音楽制御部８は、通信回線１０ａから音楽情報を取り込む旨の操作者の指示があったか否かを判定し、あったならばステップＳ４へ進み、なかったならばステップＳ５へ進む。
ステップＳ４では、音楽情報取込部８ａは、通信回線インタフェース１０を介してインターネット上の音楽情報をダウンロードし、音楽データベース１２に記憶する。そして、ステップＳ１に戻る。
【００２１】
ステップＳ５では、音楽制御部８は、音楽情報を編集する旨の操作者の指示があったか否かを判定し、あったならばステップＳ６へ進み、なかったならばステップＳ７へ進む。
ステップＳ６では、音楽情報管理部８ｂは、音楽データベース１２に記憶している音楽情報を、操作者の指示により変更，削除する。そして、ステップＳ１に戻る。
【００２２】
ステップＳ７では、音楽制御部８は、患者情報を編集する旨の操作者の指示があったか否かを判定し、あったならばステップＳ８へ進み、なかったならばステップＳ９へ進む。
ステップＳ８では、音楽情報管理部８ｂは、操作者の指示により患者情報を作成し、患者データベース１１に記憶する。また、音楽情報管理部８ｂは、患者データベース１１に記憶している患者情報を、操作者の指示により変更，削除する。そして、ステップＳ１に戻る。
【００２３】
ステップＳ９では、音楽制御部８は、患者情報と音楽情報の対応を編集する旨の操作者の指示があったか否かを判定し、あったならばステップＳ１０へ進み、なかったならばステップＳ１１へ進む。
ステップＳ１０では、音楽情報管理部８ｂは、操作者の指示により患者情報と音楽情報の対応を作成し、患者データベース１１に記憶する。また、音楽情報管理部８ｂは、患者データベース１１に記憶している患者情報と音楽情報の対応を、操作者の指示により変更，削除する。そして、ステップＳ１に戻る。
【００２４】
ステップＳ１１では、音楽制御部８は、診断モードと再生音量の対応を編集する旨の操作者の指示があったか否かを判定し、あったならばステップＳ１２へ進み、なかったならばステップＳ１３へ進む。
ステップＳ１２では、音楽情報管理部８ｂは、操作者の指示により診断モードと再生音量の対応を作成し、音量自動調整部８ｄに記憶させる。また、音楽情報管理部８ｂは、音量自動調整部８ｄに記憶している診断モードと再生音量の対応を、操作者の指示により変更，削除する。そして、ステップＳ１に戻る。
【００２５】
ステップＳ１３では、音楽制御部８は、音楽を再生する旨の操作者の指示があったか否かを判定し、あったならばステップＳ１４へ進み、なかったならばステップＳ１に戻る。
【００２６】
ステップＳ１４では、音楽情報選択部８ｃは、患者の識別子が判る場合（患者の識別子が入力されている場合）、それをキーとして患者データベース１１から患者情報を探し出し、その患者情報に対応付けられている音楽情報があれば、その音楽情報を音楽データベース１２から取出し、患者用音楽出力部１３で音楽を再生する。例えば、患者が子供の時は童謡を選択し、患者が大人のときはクラシック音楽を取り出して再生する。そして、ステップＳ１に戻る。
この時、音量自動調整部８ｄは、現在の診断モードをスキャン制御部７から取得し、その診断モードに合わせて再生音量を調整する。例えば、Ｂモードのように画像だけで診断する診断モードの時は通常の音量で再生し、ドップラ検査のように音を聞いて診断する診断モードの時は音量を小さくするか又はミュートにする。
【００２７】
なお、患者の識別子が判らない場合（患者の識別子が入力されている場合）や患者情報に音楽情報が対応付けられていない場合は、デフォルトの音楽情報を取り出して再生する。
また、診断モードに再生音量が対応付けられていない場合は、通常の音量よりやや小さい音量で再生する。
【００２８】
他の実施態様としては、ＣＤドライブ９の代わりに又はそれに加えて、ＭＤ（Ｍｉｎｉ  Ｄｉｓｃ）ドライブ等の音楽再生装置から音楽情報を読み出すようにしてもよい。
【００２９】
【発明の効果】
本発明の音楽再生機能付き超音波診断装置によれば、超音波診断装置自体が音楽再生機能を有しているため、ＣＤプレーヤ等の別体の音楽再生装置が必要なくなる。これにより、操作者は、超音波診断装置のみを操作すれば足るため、煩雑な操作を要さずに音楽を再生できる。
【図面の簡単な説明】
【図１】本発明にかかる超音波診断装置を示す構成図である。
【図２】本発明にかかる超音波診断装置を示す斜視図である。
【図３】本発明にかかる音楽制御処理を示すフロー図である。
【符号の説明】
５          検査用音響出力部
５ａ        検査用スピーカ
８          音楽制御部
９          ＣＤドライブ
１０        通信回線インタフェース
１１        患者データベース
１２        音楽データベース
１３        患者用音楽出力部
１３ａ      患者用スピーカ
１００      超音波診断装置
【図１】
2004154334.tif 000003
【図２】
2004154334.tif 000004
【図３】
2004154334.tif 000005